(57)【特許請求の範囲】
【請求項１】
基板上に対向配置された一対の電極と前記一対の電極間に配置された発光層を含む機能層とを有する発光素子と、
複数の前記発光素子が配置された画素領域と、
前記基板上において前記画素領域の外側に配置され、前記一対の電極のうちの一方の電極に電気的に接続される接続配線と、
前記接続配線に重なると共に前記接続配線より前記画素領域側に延在して配置された接続部と、を備え、
前記一方の電極は、前記画素領域に亘って設けられると共に、前記画素領域の外側にて前記接続部の前記画素領域に近い側の一方の端部に重なって設けられ、
前記画素領域を囲む隔壁部を有し、
前記接続部は、前記隔壁部における前記画素領域側と反対側の壁面に掛かるように設けられ、
前記一方の電極は、前記画素領域に亘って設けられると共に、前記画素領域の外側にて前記隔壁部の前記壁面に掛かった部分の前記接続部に重なって設けられていることを特徴とする電気光学装置。
【請求項２】
前記接続配線と前記画素領域との間に配置され、前記発光素子を駆動制御する周辺回路を有し、
前記接続部は、前記周辺回路が設けられた領域に対して平面的に少なくとも一部が重なって設けられていることを特徴とする請求項１に記載の電気光学装置。
【請求項３】
前記接続配線および前記接続部は、前記基板上において平面的に前記画素領域を覆った前記一方の電極の一の方向の両端側に配置されていることを特徴とする請求項１または２に記載の電気光学装置。
【請求項４】
前記接続部と前記一方の電極とが異なる導電性材料で構成されていることを特徴とする請求項１乃至３のいずれか一項に記載の電気光学装置。
【請求項５】
前記一方の電極に比べて前記接続部のほうが比抵抗が低いことを特徴とする請求項４に記載の電気光学装置。
【請求項６】
前記一方の電極を覆うと共に、前記接続部の前記画素領域から遠い方の他方の端部を覆う少なくとも１つのガスバリア層を備えたことを特徴とする請求項１乃至５のいずれか一項に記載の電気光学装置。
【請求項７】
基板上に対向配置された一対の電極と前記一対の電極間に配置された発光層を含む機能層とを有する発光素子を備えた電気光学装置の製造方法であって、
複数の前記発光素子が配置された画素領域の外側に前記一対の電極に接続される接続配線を形成する第１工程と、
前記接続配線に重なると共に前記接続配線より前記画素領域側に延在する接続部を形成する第２工程と、
前記一対の電極のうちの一方の電極を、前記画素領域の外側にて前記接続部の前記画素領域に近い側の一方の端部に重なると共に前記画素領域に亘って形成する第３工程と、を備え、
前記画素領域を囲む隔壁部を形成する工程を有し、
前記第２工程は、前記隔壁部における前記画素領域側と反対側の壁面に掛かるように前記接続部を形成し、
前記第３工程は、前記一方の電極を前記画素領域に亘ると共に、前記画素領域の外側にて前記隔壁部の前記壁面に掛かった部分の前記接続部に重なるように形成することを特徴とする電気光学装置の製造方法。
【請求項８】
前記接続部を形成する方法がフォトリソグラフィ法であり、
前記一方の電極を形成する方法がマスク蒸着法であることを特徴とする請求項７に記載の電気光学装置の製造方法。
【請求項９】
前記接続部と前記一方の電極とを異なる導電性材料で形成することを特徴とする請求項７または８に記載の電気光学装置の製造方法。
【請求項１０】
前記一方の電極に対して前記接続部は比抵抗が低い導電性材料を用いて形成されることを特徴とする請求項９に記載の電気光学装置の製造方法。
【請求項１１】
前記接続配線と前記画素領域との間に、前記発光素子を駆動制御する周辺回路を形成する工程を有し、
前記第２工程は、前記周辺回路が形成された領域に対して平面的に少なくとも一部が重なるように前記接続部を形成することを特徴とする請求項７乃至１０のいずれか一項に記載の電気光学装置の製造方法。
【請求項１２】
前記一方の電極を覆うと共に、前記接続部の前記画素領域から遠い方の他方の端部を覆う少なくとも１つのガスバリア層を形成する第４工程を、さらに備えたことを特徴する請求項７乃至１１のいずれか一項に記載の電気光学装置の製造方法。
【請求項１３】
請求項１乃至６のいずれか一項に記載の電気光学装置または請求項７乃至１２のいずれか一項に記載の電気光学装置の製造方法を用いて製造された電気光学装置を備えたことを特徴とする電子機器。
【発明の詳細な説明】
【技術分野】
【０００１】
本発明は、電気光学装置、電気光学装置の製造方法、電子機器に関する。
【背景技術】
【０００２】
電気光学装置として、基板上において、一対の電極と、該一対の電極間に有機膜からなる発光層を含む機能層を備えた有機ＥＬ（エレクトロルミネッセンス）素子を有する有機ＥＬ装置が知られている。
【０００３】
上記有機ＥＬ装置において、上記機能層は、水分や気体の吸収により発光寿命が低下するおそれがあるので、外部からの水分や気体の浸入から有機ＥＬ素子を保護する封止構造が採用されている。
例えば、特許文献１には、バンク層によって分離された複数の表示素子と配線層とを有する基板と、該基板の外周の封止領域で接合され該基板を覆う封止基板とを備え、該封止領域において複数の表示素子とバンク層とを覆う電極層の外周部と配線層とが接続された表示装置が開示されている。この表示装置は、封止基板の四辺に沿った部分で表示素子が設けられた基板を封止する所謂缶封止構造が示されており、この封止領域で電極層と配線層とを接続しているので、封止領域と、電極層と配線層との接続領域と、平面的にことなる部分に配置する場合に比べて表示に寄与しない額縁領域を狭くできるとしている。
【０００４】
また、特許文献２では、表示領域の周囲に配置され且つ有機発光層を挟持する一対の電極のうちの一方の電極と接続される第１接続配線と、該第１接続配線の端面を覆い、該第１接続配線および表示領域に設けられた複数の発光素子の表面を覆うガスバリア層とを備えた有機ＥＬ装置が開示されている。この有機ＥＬ装置によれば、第１接続配線を経由した水分侵入をガスバリア層で防ぐことができ、長い発光寿命を実現できるとしている。
【先行技術文献】
【特許文献】
【０００５】
【特許文献１】ＷＯ２００３／６９８５８号パンフレット
【特許文献２】特開２００９−１１７０７９号公報
【発明の概要】
【発明が解決しようとする課題】
【０００６】
しかしながら、特許文献２の技術思想を特許文献１の封止構造に反映させようとすると、特許文献１の表示装置における額縁領域の幅が広がるおそれがあり、額縁領域の幅を狭くできるという所期の目的の達成が困難になるという課題がある。
【課題を解決するための手段】
【０００７】
本発明は、上述の課題の少なくとも一部を解決するためになされたものであり、以下の形態または適用例として実現することが可能である。
本適用例の電気光学装置は、基板上に対向配置された一対の電極と前記一対の電極間に配置された発光層を含む機能層とを有する発光素子と、複数の前記発光素子が配置された画素領域と、前記基板上において前記画素領域の外側に配置され、前記一対の電極のうちの一方の電極に電気的に接続される接続配線と、前記接続配線に重なると共に前記接続配線より前記画素領域側に延在して配置された接続部と、を備え、前記一方の電極は、前記画素領域に亘って設けられると共に、前記画素領域の外側にて前記接続部の前記画素領域に近い側の一方の端部に重なって設けられ、前記画素領域を囲む隔壁部を有し、前記接続部は、前記隔壁部における前記画素領域側と反対側の壁面に掛かるように設けられ、前記一方の電極は、前記画素領域に亘って設けられると共に、前記画素領域の外側にて前記隔壁部の前記壁面に掛かった部分の前記接続部に重なって設けられていることを特徴とする。
本適用例の電気光学装置の製造方法は、基板上に対向配置された一対の電極と前記一対の電極間に配置された発光層を含む機能層とを有する発光素子を備えた電気光学装置の製造方法であって、複数の前記発光素子が配置された画素領域の外側に前記一対の電極に接続される接続配線を形成する第１工程と、前記接続配線に重なると共に前記接続配線より前記画素領域側に延在する接続部を形成する第２工程と、前記一対の電極のうちの一方の電極を、前記画素領域の外側にて前記接続部の前記画素領域に近い側の一方の端部に重なると共に前記画素領域に亘って形成する第３工程と、を備え、前記画素領域を囲む隔壁部を形成する工程を有し、前記第２工程は、前記隔壁部における前記画素領域側と反対側の壁面に掛かるように前記接続部を形成し、前記第３工程は、前記一方の電極を前記画素領域に亘ると共に、前記画素領域の外側にて前記隔壁部の前記壁面に掛かった部分の前記接続部に重なるように形成することを特徴とする。
【０００８】
［適用例１］本適用例の電気光学装置は、基板上に対向配置された一対の電極と前記一対の電極間に配置された発光層を含む機能層とを有する発光素子と、複数の前記発光素子が配置された画素領域と、前記基板上において前記画素領域の外側に配置され、前記一対の電極のうちの一方の電極に電気的に接続される接続配線と、前記接続配線に重なると共に前記接続配線より前記画素領域側に延在して配置された接続部と、を備え、前記一方の電極は、前記画素領域に亘って設けられると共に、前記画素領域の外側にて前記接続部の前記画素領域に近い側の一方の端部に重なって設けられていることを特徴とする。
【０００９】
この構成によれば、接続配線と一方の電極とが接続部を介して電気的に接続されている。したがって、接続配線と一方の電極とを直接接触させて接続させる場合に比べて、一方の電極の平面的な配置精度が低くても、それを考慮して接続部を設けておけばよいので、接続配線と一方の電極とを電気的に安定した状態で接続させることができる。言い換えれば、接続配線と一方の電極とを画素領域の外側にて電気的に接続させる領域を狭くすることが可能となる。
【００１０】
［適用例２］上記適用例の電気光学装置において、前記接続配線と前記画素領域との間に配置され、前記発光素子を駆動制御する周辺回路を有し、前記接続部は、前記周辺回路が設けられた領域に対して平面的に少なくとも一部が重なって設けられているとしてもよい。
この構成によれば、基板上において画素領域の外側の領域すなわち額縁領域に接続配線と周辺回路とを設けたとしても、周辺回路が設けられた領域に対して少なくとも一部が重なるように接続部を設けることにより、平面的に接続部を独立して配置する場合に比べて、額縁領域を狭くすることができる。
【００１１】
［適用例３］上記適用例の電気光学装置において、前記画素領域を囲む隔壁部を有し、前記接続部は、前記隔壁部における前記画素領域側と反対側の壁面に掛かるように設けられ、前記一方の電極は、前記画素領域に亘って設けられると共に、前記画素領域の外側にて前記隔壁部の前記壁面に掛かった部分の前記接続部に重なって設けられているとしてもよい。
この構成によれば、画素領域を囲む隔壁部が設けられた領域が平面的に狭い領域であっても隔壁部の壁面を利用して、接続部と一方の電極とを安定的に接続することができる。
【００１２】
［適用例４］上記適用例の電気光学装置において、前記接続配線および前記接続部は、前記基板上において平面的に前記画素領域を覆った前記一方の電極の一の方向の両端側に配置されていることが好ましい。
この構成によれば、一方の電極における一の方向の電気的な抵抗を小さくして、発光素子間の発光特性のばらつきを低減できる。なお、一の方向とは、一方の電極における長手方向であることが好ましい。一方の電極における長手方向の抵抗上昇を抑えることができる。
【００１３】
［適用例５］上記適用例の電気光学装置において、前記接続部と前記一方の電極とが異なる導電性材料で構成されているとしてもよい。
この構成によれば、一方の電極は、発光層を含む機能層からの発光をどのように取り出すかによって、様々な材料選択が考えられるが、接続部は電気的な接続を可能とすればよいので、材料選択の自由度が一方の電極の材料によって制約されない。
【００１４】
［適用例６］上記適用例の電気光学装置において、前記一方の電極に比べて前記接続部のほうが比抵抗が低いことが好ましい。
この構成によれば、接続配線と一方の電極とを低抵抗な接続部を介して接続させることができる。
【００１５】
［適用例７］上記適用例の電気光学装置において、前記一方の電極を覆うと共に、前記接続部の前記画素領域から遠い方の他方の端部を覆う少なくとも１つのガスバリア層を備えることが好ましい。
この構成によれば、接続部が設けられた基板上の界面から水分などが画素領域に設けられた発光素子に侵入することをガスバリア層によって防止することができる。すなわち、長い発光寿命を有する電気光学装置を提供できる。
【００１６】
［適用例８］本適用例の電気光学装置の製造方法は、基板上に対向配置された一対の電極と前記一対の電極間に配置された発光層を含む機能層とを有する発光素子を備えた電気光学装置の製造方法であって、複数の前記発光素子が配置された画素領域の外側に前記一対の電極に接続される接続配線を形成する第１工程と、前記接続配線に重なると共に前記接続配線より前記画素領域側に延在する接続部を形成する第２工程と、前記一対の電極のうちの一方の電極を、前記画素領域の外側にて前記接続部の前記画素領域に近い側の一方の端部に重なると共に前記画素領域に亘って形成する第３工程と、を備えたことを特徴とする。
【００１７】
この方法によれば、接続配線と一方の電極とが接続部を介して電気的に接続される。したがって、接続配線と一方の電極とを直接接触させて接続させるように一方の電極を形成する場合に比べて、一方の電極の平面的な配置精度が低くても、それを考慮して接続部を形成すればよいので、接続配線と一方の電極とを電気的に安定した状態で接続させることができる。言い換えれば、接続配線と一方の電極とを画素領域の外側にて電気的に接続させる領域を狭くすることが可能な電気光学装置の製造方法を提供できる。
【００１８】
［適用例９］上記適用例の電気光学装置の製造方法において、前記接続部を形成する方法がフォトリソグラフィ法であり、前記一方の電極を形成する方法がマスク蒸着法であることを特徴とする。
この方法によれば、一方の電極を形成位置精度がフォトリソグラフィ法に比べて劣るマスク蒸着法で形成しても、一方の電極と重なり合う接続部がフォトリソグラフィ法で形成されているので、電気光学装置における画素領域の周辺領域つまり額縁領域の位置精度を高い状態で実現できる。
【００１９】
［適用例１０］上記適用例の電気光学装置の製造方法において、前記接続部と前記一方の電極とを異なる導電性材料で形成するとしてもよい。
この方法によれば、一方の電極と接続部との材料選択の幅を広げて、トップエミッションおよびボトムエミッションの電気光学装置のいずれにも対応可能とすることができる。
【００２０】
［適用例１１］上記適用例の電気光学装置の製造方法において、前記一方の電極に対して前記接続部は比抵抗が低い導電性材料を用いて形成されることが好ましい。
この方法によれば、接続配線と一方の電極とを直接接続させる場合に比べて、接続領域の形成精度を向上させると共により低抵抗な状態で電気的に接続できる。
【００２１】
［適用例１２］上記適用例の電気光学装置の製造方法において、前記接続配線と前記画素領域との間に、前記発光素子を駆動制御する周辺回路を形成する工程を有し、前記第２工程は、前記周辺回路が形成された領域に対して平面的に少なくとも一部が重なるように前記接続部を形成するとしてもよい。
この方法によれば、基板上において画素領域の外側の領域すなわち額縁領域に接続配線と周辺回路とを形成したとしても、周辺回路が形成された領域に対して少なくとも一部が重なるように接続部を形成することにより、平面的に接続部を独立して形成する場合に比べて、額縁領域を狭くすることができる。
【００２２】
［適用例１３］上記適用例の電気光学装置の製造方法において、前記画素領域を囲む隔壁部を形成する工程を有し、前記第２工程は、前記隔壁部における前記画素領域側と反対側の壁面に掛かるように前記接続部を形成し、前記第３工程は、前記一方の電極を前記画素領域に亘ると共に、前記画素領域の外側にて前記隔壁部の前記壁面に掛かった部分の前記接続部に重なるように形成するとしてもよい。
この方法によれば、画素領域を囲む隔壁部が形成された領域が平面的に狭い領域であっても隔壁部の壁面を利用して、接続部と一方の電極とを安定的に接続することができる。
【００２３】
［適用例１４］上記適用例の電気光学装置の製造方法において、前記一方の電極を覆うと共に、前記接続部の前記画素領域から遠い方の他方の端部を覆う少なくとも１つのガスバリア層を形成する第４工程を、さらに備えることが好ましい。
この方法によれば、接続部が形成された基板上の界面から水分などが画素領域に配置された発光素子に侵入することをガスバリア層によって防止することができる。すなわち、長い発光寿命を有する電気光学装置を製造できる。
【００２４】
［適用例１５］本適用例の電子機器は、上記適用例の電気光学装置または上記適用例の電気光学装置の製造方法を用いて製造された電気光学装置を備えたことを特徴とする。
この構成によれば、画素領域を囲む額縁領域を従来よりも狭くして、コンパクトで見栄えがよい電子機器を提供することができる。
【図面の簡単な説明】
【００２５】
【図１】電気光学装置の構成を示す概略平面図。
【図２】電気光学装置の電気的な構成を示す等価回路図。
【図３】図１のＡ−Ａ’線で切った電気光学装置の構造を示す概略断面図。
【図４】電気光学装置の要部拡大断面図。
【図５】電気光学装置の製造方法を示すフローチャート。
【図６】（ａ）〜（ｄ）は電気光学装置の製造方法を示す概略断面図。
【図７】（ｅ）〜（ｈ）は電気光学装置の製造方法を示す概略断面図。
【図８】保護層を備えた電気光学装置の一例を示す概略断面図。
【図９】（ａ）〜（ｃ）は電子機器の実施例を示す斜視図。
【図１０】変形例１の電気光学装置を示す概略平面図。
【図１１】変形例２の電気光学装置を示す概略断面図。
【発明を実施するための形態】
【００２６】
以下、本発明を具体化した実施形態について図面に従って説明する。なお、使用する図面は、説明する部分が認識可能な状態となるように、適宜拡大または縮小して表示している。
【００２７】
（第１実施形態）
＜電気光学装置＞
まず、本実施形態の電気光学装置について、図１〜図４を参照して説明する。
図１は電気光学装置の構成を示す概略平面図、図２は電気光学装置の電気的な構成を示す等価回路図、図３は図１のＡ−Ａ’線で切った電気光学装置の構造を示す概略断面図、図４は電気光学装置の要部拡大断面図である。
【００２８】
図１に示すように、本実施形態の電気光学装置１００は、発光素子を備えたサブ画素ＳＧがスイッチング素子としての薄膜トランジスター（Thin  Film  Transistor）によって駆動制御されるアクティブ駆動型の発光装置である。上記薄膜トランジスター（ＴＦＴ）が設けられた素子基板１０上において、赤（Ｒ）、緑（Ｇ）、青（Ｂ）の３色に対応したサブ画素ＳＧと、複数のサブ画素ＳＧがマトリックス状に配置された画素領域１０７とを有している。
画素領域１０７におけるサブ画素ＳＧの配置を基準として、行方向をＸ方向とし、列方向をＹ方向として説明する。
Ｘ方向における画素領域１０７の外側の領域に、一対の走査線駆動回路１０１がＹ方向に沿って配置されている。
また、一対の走査線駆動回路１０１のそれぞれに平面的に重なるように同じく一対の接続部１０５がＹ方向に沿って設けられている。接続部１０５は、素子基板１０に設けられた接続配線１０６と、サブ画素ＳＧの発光素子における一対の電極のうちの一方の電極との電気的な接続を図るために設けられた導電体であって、詳しくは後述する。
【００２９】
Ｙ方向における画素領域１０７の外側の領域のうち、図面上において上方の領域に検査回路１０３と、一対の走査線駆動回路１０１を結ぶ配線１０４とが該上方の辺部に沿って配置されている。また、検査回路１０３が設けられた該上方の領域に対して反対側の領域は、外部駆動回路との接続を図る端子部を有しており、該端子部には、フレキシブルな中継基板１１０が設けられている。
【００３０】
中継基板１１０は、所謂ＦＰＣであって、ドライバーＩＣ１０２が平面実装されている。ドライバーＩＣ１０２は、データ線駆動回路を含むものである。中継基板１１０には、ドライバーＩＣ１０２に外部駆動回路からの信号が伝達される複数の入力配線１１２と、ドライバーＩＣ１０２からの制御信号が出力される複数の出力配線１１１とが設けられている。複数の出力配線１１１は、素子基板１０の上記端子部において、上記接続部１０５に繋がる接続配線１０６と走査線駆動回路１０１やサブ画素ＳＧの発光素子に接続する配線１０８とに接続されている。
【００３１】
本実施形態では、サブ画素ＳＧに設けられた発光素子を駆動制御する周辺回路のうち、走査線駆動回路１０１と検査回路１０３とを素子基板１０上に設けているが、ドライバーＩＣ１０２に含まれたデータ線駆動回路なども素子基板１０上に設ける構成としてもよい。
【００３２】
図２に示すように、電気光学装置１００は、複数の走査線１０１ａと、複数の走査線１０１ａに対して絶縁された状態で交差（直交）する複数のデータ線１０２ａおよび複数の電源線１０２ｂとを有している。
【００３３】
複数の走査線１０１ａは、シフトレジスターおよびレベルシフターを備える走査線駆動回路１０１に接続されている。複数のデータ線１０２ａは、シフトレジスター、レベルシフター、ビデオライン及びアナログスイッチを備えるドライバーＩＣ１０２のデータ線駆動回路に接続されている。
【００３４】
複数の走査線１０１ａおよび複数のデータ線１０２ａ、複数の電源線１０２ｂによってマトリックス状に区分された領域にサブ画素ＳＧが設けられている。
【００３５】
サブ画素ＳＧは、走査線１０１ａを介して走査信号がゲート電極に供給されるスイッチング用のＴＦＴ１２１と、このスイッチング用のＴＦＴ１２１を介してデータ線１０２ａから供給される画素信号を保持する保持容量１２３と、該保持容量１２３によって保持された画素信号がゲート電極に供給される駆動用のＴＦＴ１２２とを有している。また、駆動用のＴＦＴ１２２を介して電源線１０２ｂに電気的に接続したときに該電源線１０２ｂから駆動電流が流れ込む一対の電極のうちの他方の電極としての画素電極（陽極）２１と、一対の電極のうちの一方の電極としての陰極２７と、画素電極２１と陰極２７との間に挟み込まれた発光層を含む機能層２５とを有している。画素電極２１と機能層２５と陰極２７とにより、発光素子（有機ＥＬ素子）３０が構成されている。
【００３６】
なお、図２において検査回路１０３を省略しているが、検査回路１０３は、電気光学装置１００の作動状況を検査するための回路であって、例えば検査結果を外部に出力する検査情報出力手段を備え、製造途中や出荷時の表示品質、欠陥の検査を行うことができるように構成されたものである。
【００３７】
走査線駆動回路１０１および検査回路１０３への駆動制御信号および駆動電圧の印加は、電気光学装置１００の作動制御を行うドライバーＩＣ１０２などから送出されるようになっている。この場合の駆動制御信号とは、走査線駆動回路１０１および検査回路１０３が信号を出力する際の制御に関連する指令信号である。
【００３８】
このような電気光学装置１００によれば、走査線１０１ａが駆動されてスイッチング用のＴＦＴ１２１がオン状態になると、そのときのデータ線１０２ａの電位（画素信号）が保持容量１２３に保持され、該保持容量１２３の状態に応じて、駆動用のＴＦＴ１２２のオン・オフ状態が決まる。そして、駆動用のＴＦＴ１２２のチャネルを介して、電源線１０２ｂから画素電極２１に電流が流れ、さらに機能層２５を介して陰極２７に電流が流れる。機能層２５は、これを流れる電流量に応じて発光して、画素信号に基づいた表示が行われる。
【００３９】
図３に示すように、素子基板１０上には、駆動用のＴＦＴ１２２や電源線１０２ｂなどの配線類を含む回路部１７が設けられ、該回路部１７上に赤（Ｒ）、緑（Ｇ）、青（Ｂ）に対応して形成された発光素子３０Ｒ，３０Ｇ，３０Ｂが設けられている。さらに、これらの発光素子３０Ｒ，３０Ｇ，３０Ｂを覆うようにガスバリア層４０が設けられている。
【００４０】
各発光素子３０Ｒ，３０Ｇ，３０Ｂは、回路部１７上において隔壁部３２により区画されている。これらの隔壁部３２のうち、複数の発光素子３０（発光素子３０Ｒ，３０Ｇ，３０Ｂ）が設けられた画素領域１０７の外周部分に設けられたものを隔壁部３１として区分して説明する。また、画素領域１０７の外側で素子基板１０の端部との間の領域を額縁領域１０９として説明する。
【００４１】
額縁領域１０９には、走査線駆動回路１０１などの周辺回路や接続配線１０６、接続部１０５が設けられている。
【００４２】
各発光素子３０Ｒ，３０Ｇ，３０Ｂは、それぞれ画素電極２１と画素電極２１上に形成された機能層２５とを有し、機能層２５を挟む一対の電極のうちの一方の電極である陰極２７は、機能層２５と隔壁部３２とを覆うように設けられている。
【００４３】
接続配線１０６は回路部１７において厚み方向に導通して、回路部１７の表面に露出するように設けられおり、接続部１０５は露出した接続配線１０６に重なるように配置されている。また、接続部１０５は、回路部１７上において接続配線１０６側から走査線駆動回路１０１が設けられた領域を越え、隔壁部３１の壁面に至る領域に跨って設けられている。すなわち、接続部１０５は接続配線１０６に接続すると共に、走査線駆動回路１０１に対して平面的に重なり、画素領域１０７に向かって延在している。隔壁部３１の壁面に掛かった部分を接続部１０５の一方の端部１０５ａと呼び、接続配線１０６と重なり合った部分を他方の端部１０５ｂと呼ぶ。
なお、接続配線１０６は、図１に示すように平面的には走査線駆動回路１０１に沿ってＹ方向に延在している。接続配線１０６と接続部１０５とは、平面的に接続配線１０６の延在方向（Ｙ方向）において連続的に接続しているが、これに限定されない。接続配線１０６の延在方向において例えばコンタクトホールを介して接続配線１０６と接続部１０５とが部分的に接続している構造としてもよい。これによれば、走査線駆動回路１０１などの周辺回路やこれに繋がる配線等の平面的な配置を考慮して、接続配線１０６と接続部１０５とを電気的に接続できる。
【００４４】
陰極２７は、画素領域１０７内において機能層２５と隔壁部３２とを覆うように設けられ、額縁領域１０９において隔壁部３１の壁面に沿った上記一方の端部１０５ａを覆うように設けられている。これにより、接続配線１０６と陰極２７とは接続部１０５を介して電気的に接続されている。平面的に隔壁部３１の幅が他の隔壁部３２よりも狭くても、壁面に設けられた上記一方の端部１０５ａと陰極２７とが重なっているので、壁面において接続面積が確保され安定した導通抵抗が実現されている。
【００４５】
ガスバリア層４０は、画素領域１０７において陰極２７を覆うように設けられ、且つ額縁領域１０９において接続部１０５の他方の端部１０５ｂを覆うように設けられている。これにより、陰極２７および接続部１０５と回路部１７（接続配線１０６）との界面から画素領域１０７へ酸素や水分などが侵入することを防いでいる。
【００４６】
詳細は後述するが、本実施形態の発光素子３０（発光素子３０Ｒ，３０Ｇ，３０Ｂ）はトップエミッション構造が採用されており、機能層２５で発光した光は陰極２７側に取り出される。したがって、陰極２７は透光性を有する材料で構成されることが必要であり、透明導電材料が用いられる。透明導電材料としてはＩＴＯ（Indium  Tin  Oxide）が好適とされるが、これ以外にも、例えば酸化インジウム・酸化亜鉛系アモルファス透明導電膜（Indium  Zinc  Oxide：ＩＺＯ／アイ・ゼット・オー）（登録商標））（出光興産社製）などを用いることができる。なお、本実施形態ではＩＴＯを用いている。
【００４７】
陰極２７と接続配線１０６とを結ぶ接続部１０５は、額縁領域１０９に設けられているので透光性を有する必要はなく、陰極２７に対して比抵抗が低いＡｌなどの金属材料やその合金などを用いることができる。
【００４８】
接続配線１０６は、回路部１７を構成する薄膜トランジスターや配線類を形成する工程で同時に形成されることが好ましい。次に、接続配線１０６の構成に関連する回路部１７と発光素子３０について説明する。
【００４９】
図４に示すように、素子基板１０上には回路部１７が設けられ、さらに回路部１７上に発光素子３０が設けられている。回路部１７側から順に説明する。
【００５０】
素子基板１０には、まず、その表面を覆うように例えば酸化シリコンなどの無機絶縁材料からなる下地絶縁膜１１が設けられている。下地絶縁膜１１上にＴＦＴ１２２が設けられている。ＴＦＴ１２２は、下地絶縁膜１１上に島状に設けられた例えばポリシリコンからなる半導体層１２２ｈと、半導体層１２２ｈを覆う例えば酸化シリコンや窒化シリコンなどの無機絶縁材料からなるゲート絶縁膜１２と、ゲート絶縁膜１２上に設けられたゲート電極１２２ｇとを有する。
【００５１】
半導体層１２２ｈのうち、ゲート絶縁膜１２を挟んでゲート電極１２２ｇと重なる領域がチャネル領域１２２ａとされている。なお、このゲート電極１２２ｇは、図示しないが走査線１０１ａの一部である。一方、半導体層１２２ｈを覆い、ゲート電極１２２ｇが設けられたゲート絶縁膜１２を覆って例えば酸化シリコンを主体とする第１層間絶縁膜１３が設けられている。
【００５２】
また、半導体層１２２ｈのうち、チャネル領域１２２ａのソース側には、低濃度ソース領域１２２ｂおよび高濃度ソース領域１２２ｓが設けられる一方、チャネル領域１２２ａのドレイン側には低濃度ドレイン領域１２２ｃおよび高濃度ドレイン領域１２２ｄが設けられ、いわゆるＬＤＤ（Light  Doped  Drain）構造となっている。これらのうち、高濃度ソース領域１２２ｓは、ゲート絶縁膜１２と第１層間絶縁膜１３とにわたって開孔するコンタクトホール１３ａを介して、ソース電極１２２ｅに接続されている。このソース電極１２２ｅは、前述した電源線１０２ｂ（図２参照、図４においてはソース電極１２２ｅの位置に紙面垂直方向に延在する）の一部として構成されている。一方、高濃度ドレイン領域１２２ｄは、ゲート絶縁膜１２と第１層間絶縁膜１３とにわたって開孔するコンタクトホール１３ｂを介して、ソース電極１２２ｅと同じ材料からなるドレイン電極１２２ｆに接続されている。
【００５３】
ソース電極１２２ｅおよびドレイン電極１２２ｆが設けられた第１層間絶縁膜１３の上層は、例えばアクリル系の樹脂成分を主体とする第２層間絶縁膜１４によって覆われている。この第２層間絶縁膜１４は、アクリル系の有機絶縁材料以外の材料、例えば、酸化シリコンや窒化シリコンなどの無機絶縁材料を用いることもできる。そして、例えばＩＴＯからなる画素電極２１が、この第２層間絶縁膜１４の表面上に設けられると共に、該第２層間絶縁膜１４に設けられたコンタクトホール１４ａを介してドレイン電極１２２ｆに接続されている。すなわち、画素電極２１は、ドレイン電極１２２ｆを介して、半導体層１２２ｈの高濃度ドレイン領域１２２ｄに接続されている。
【００５４】
ソース電極１２２ｅおよびドレイン電極１２２ｆ、ならびにゲート電極１２２ｇは、例えばＡｌなどの低抵抗配線材料を用いて構成することができる。
【００５５】
なお、走査線駆動回路１０１および検査回路１０３に含まれる、例えばシフトレジスターのインバーターを構成するＮチャネル型またはＰチャネル型のＴＦＴは、画素電極２１と接続されていない点を除いて上記駆動用のＴＦＴ１２２と同様の構造とされている。
【００５６】
回路部１７上に設けられた発光素子３０は、前述したように画素電極２１と、陰極２７と、両電極間に配置された機能層２５とを含んで構成されている。また、各発光素子３０は、隔壁部３２により区画されている。具体的には、隔壁部３２は、画素電極２１の外縁部を覆い、画素電極２１上において開口３２ｃを有する下層隔壁部３２ａと、下層隔壁部３２ａ上に設けられ実質的に機能層２５が設けられる膜形成領域を区画する上層隔壁部３２ｂとにより構成されている。下層隔壁部３２ａは、例えば酸化シリコンなどの無機絶縁材料からなる。上層隔壁部３２ｂは、例えばエポキシ系あるいはポリイミド系などの有機絶縁材料からなる。
【００５７】
機能層２５は、画素電極２１側に設けられた正孔注入輸送層２２と、正孔注入輸送層２２に重ねて設けられた発光層２３とを有する。本実施形態では、機能層形成材料を含む液状体を上記膜形成領域に塗布して乾燥させることにより、機能層２５（正孔注入輸送層２２、発光層２３）を形成している。
【００５８】
正孔注入輸送層２２の形成材料としては、例えばポリチオフェン誘導体、ポリピロール誘導体など、またはそれらのドーピング体などが用いられる。具体的には、３，４−ポリエチレンジオキシチオフェン／ポリスチレンスルフォン酸（ＰＥＤＯＴ／ＰＳＳ）［商品名；バイトロン−ｐ（Bytron−p）：バイエル社製］の分散液、すなわち、分散媒としてのポリスチレンスルフォン酸に３，４−ポリエチレンジオキシチオフェンを分散させ、さらにこれを水に分散させた分散液などが用いられる。
【００５９】
発光層２３の形成材料としては、蛍光あるいは燐光を発光することが可能な公知の発光材料を用いることができる。具体的には、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）などのポリシラン系などが好適に用いられる。
また、これらの高分子材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。
なお、上記高分子材料に代えて、従来公知の低分子材料を用いることもできる。
【００６０】
機能層２５の構成は、これに限定されるものではなく、発光層２３を主体として、正孔注入層、正孔輸送層、電子注入層、電子輸送層などのキャリア注入層またはキャリア輸送層を含んでもよい。さらには、正孔阻止層（ホールブロッキング層）、電子阻止層（エレクトロン阻止層）を含んでもよい。
【００６１】
機能層２５を覆うように設けられた陰極２７は、前述したようにトップエミッション構造であることから、ＩＴＯなどの透明導電膜材料を用いて構成されている。
【００６２】
陰極２７を覆うように設けられたガスバリア層４０は、例えば無機化合物からなるもので、好ましくは珪素化合物、すなわち珪素窒化物や珪素酸窒化物、珪素酸化物などによって構成されている。ただし、珪素化合物以外でも、例えばアルミナや酸化タンタル、酸化チタン、さらには他のセラミックスなどから構成されていてもよい。このようにガスバリア層４０が無機化合物で形成されていれば、ＩＴＯなどの無機透明導電膜材料からなる陰極２７との密着性がよく、ガスバリア層４０が欠陥のない緻密な層となって酸素や水分に対するバリア性がより良好になる。
【００６３】
また、このガスバリア層４０としては、上記珪素化合物のうちの異なる材料層を積層した構造としてもよく、例えば、陰極２７側から珪素窒化物、珪素酸窒化物の順に形成し、あるいは陰極２７側から珪素酸窒化物、珪素酸化物の順に形成してガスバリア層４０を構成するのが好ましい。また、このような組み合わせ以外にも、組成比の異なる珪素酸窒化物を２層以上積層した場合に、陰極２７側の層の酸素濃度がこれより外側の層の酸素濃度より低くなるように構成するのが好ましい。
このようにすれば、陰極２７側がその反対側より酸素濃度が低くなることから、ガスバリア層４０中の酸素が陰極２７を通ってその内側の発光層２３に到り、発光層２３を劣化させてしまうといったことを防止することができ、これにより発光層２３の長寿命化を図ることができる。
【００６４】
また、ガスバリア層４０としては、積層構造とすることなく、その組成を不均一にして特にその酸素濃度が連続的に、あるいは非連続的に変化するような構成としてもよく、その場合にも、陰極２７側の酸素濃度が外側の酸素濃度より低くなるように構成するのが、前述した理由により好ましい。
また、このようなガスバリア層４０の厚さとしては、１０ｎｍ以上、５００ｎｍ以下であるのが好ましい。１０ｎｍ未満であると、膜の欠陥や膜厚のバラツキなどによって部分的に貫通孔が形成されてしまい、ガスバリア性が損なわれてしまうおそれがあるからであり、５００ｎｍを越えると、応力による割れが生じてしまうおそれがあるからである。
また、本実施形態ではトップエミッション型としていることから、ガスバリア層４０は透光性を有する必要があり、したがってその材質や膜厚を適宜に調整することにより、本実施形態では可視光領域における光線透過率を例えば８０％以上にしている。
【００６５】
＜電気光学装置の製造方法＞
次に、本実施形態の電気光学装置１００の製造方法について、図５〜図８を参照して説明する。図５は電気光学装置の製造方法を示すフローチャート、図６（ａ）〜（ｄ）および図７（ｅ）〜（ｈ）は電気光学装置の製造方法を示す概略断面図、図８は保護層を備えた電気光学装置の一例を示す概略断面図である。なお、図６および図７では、回路部１７の主たる構成がわかるように表示して、詳細な構造（構成）は図示を省略している。
【００６６】
図５に示すように、本実施形態の電気光学装置１００の製造方法は、回路部形成工程（ステップＳ１）と、画素電極形成工程（ステップＳ２）と、隔壁部形成工程（ステップＳ３）と、接続部形成工程（ステップＳ４）と、機能層形成工程（ステップＳ５）と、陰極形成工程（ステップＳ６）と、ガスバリア層形成工程（ステップＳ７）とを備えている。
【００６７】
ステップＳ１の回路部形成工程では、図６（ａ）に示すように、素子基板１０上に回路部１７を形成する。回路部１７の構成は前述したとおりであって、公知の方法を用いて形成することができる。例えば、駆動用のＴＦＴ１２２における半導体層１２２ｈ（図４参照）は、下地絶縁膜１１上に、ＩＣＶＤ法、プラズマＣＶＤ法などを用いてアモルファスシリコン層を形成した後、レーザアニール法または急速加熱法により結晶粒を成長させてポリシリコン層とする。そして、該ポリシリコン層を島状にパターニングして、ボロンなどの不純物を注入することにより、不純物濃度が異なる各領域を形成する方法が挙げられる。このような回路部形成工程において、走査線駆動回路１０１や後に接続配線１０６を構成するところの配線部１０６ａも同時に形成する。
配線部１０６ａの形成方法としては、例えば、上記ポリシリコン層をパターニングして不純物を注入し導電性を付与する方法が挙げられる。さらに形成された配線部１０６ａに対してゲート電極、ソース電極、ドレイン電極を形成する工程で、導電層を重ねて形成してもよい。
また、回路部１７の最表面を構成する第２層間絶縁膜１４は、例えばアクリル系の高分子有機絶縁材料をスピンコート法などを用いて塗布して乾燥させることにより形成する方法が挙げられる。後に形成される画素電極２１とＴＦＴ１２２とを接続させるためのコンタクトホール１４ａや配線部１０６ａ上のコンタクトホール１４ｂは、第２層間絶縁膜１４をエッチングすることによって形成する。これらのコンタクトホール１４ａ，１４ｂは、第２層間絶縁膜１４として感光性樹脂材料を用い、塗布された該感光性樹脂膜を露光・現像することによって形成してもよい。そして、ステップＳ２へ進む。
【００６８】
ステップＳ２の画素電極形成工程では、図６（ｂ）に示すように、コンタクトホール１４ａ，１４ｂを埋めると共に第２層間絶縁膜１４を覆って例えばＩＴＯ膜を成膜し、これをパターニングすることによって画素電極２１と配線部１０６ｂとを形成する。配線部１０６ｂは配線部１０６ａ上に形成されて接続配線１０６を構成する。そして、ステップＳ３へ進む。
【００６９】
ステップＳ３の隔壁部形成工程では、図６（ｃ）に示すように、まず、画素電極２１の外縁部を覆う下層隔壁部３２ａを形成する。下層隔壁部３２ａの形成方法としては、画素電極２１上において開口３２ｃに相当する部分をマスキングして、酸化シリコンなどの無機絶縁膜を減圧ＣＶＤ法などにより成膜する方法が挙げられる。膜厚は、およそ１００ｎｍ〜２００ｎｍである。続いて、画素電極２１、下層隔壁部３２ａを覆うように例えばアクリル樹脂、ポリイミド樹脂などのレジストを溶媒に溶解したものを、スピンコート法、ディップコート法などの塗布法により塗布して有機質層を形成する。なお、有機質層の構成材料は、後の機能層形成工程において用いられる液状体の溶媒に溶解せず、パターニングし易く絶縁性を示すものであればどのようなものでもよい。
【００７０】
続いて、有機質層をフォトリソグラフィ技術、エッチング技術を用いてパターニングし、有機質層に開口部３２ｄを形成することにより、開口部３２ｄに壁面を有した上層隔壁部３２ｂを下層隔壁部３２ａ上に形成する。本工程で、画素領域１０７の外周部分に位置する隔壁部３１も同時に形成する。この隔壁部３１の形成にあたっては、画素領域１０７の外側となる壁面３１ａが回路部１７の表面に対して緩やかに傾斜するように形成することが好ましい。後に壁面３１ａに対して形成される各種の導電膜やこれを覆うガスバリア層４０のカバレージ性を確保することができる。本実施形態では、壁面３１ａの傾斜角度θをおよそ１１０度とした。また、回路部１７上における隔壁部３１，３２の高さは、およそ１μｍ〜２μｍである。そして、ステップＳ４へ進む。
【００７１】
ステップＳ４の接続部形成工程では、図６（ｄ）に示すように、画素領域１０７内をマスキングしてＡｌなどの低抵抗配線材料を用いて導電膜を形成する。そして、該導電膜をフォトリソグラフィ法を用いてパターニングして、画素領域１０７側の一方の端部１０５ａが隔壁部３１の壁面３１ａを覆い、他方の端部１０５ｂが接続配線１０６と重なる接続部１０５を形成する。平面的には、図１に示したように、画素領域１０７の外側において走査線駆動回路１０１が形成された領域に重なるように略矩形状の一対の接続部１０５を形成する。接続部１０５の厚みはおよそ１００ｎｍ〜２００ｎｍである。そして、ステップＳ５へ進む。
【００７２】
ステップＳ５の機能層形成工程では、まず、隔壁部３２により区画された膜形成領域に表面処理を施す。具体的には、酸素を処理ガスとするプラズマ処理を施して、上層隔壁部３２ｂの壁面を含む表面および画素電極２１の表面ならびに画素電極２１の外縁部を覆って膜形成領域内にはみ出した下層隔壁部３２ａの表面をそれぞれに親液性を付与する。続いて、大気雰囲気中で例えばＣＦ4（四フッ化メタン）を処理ガスとするプラズマ処理を施し、有機絶縁材料で構成された上層隔壁部３２ｂの壁面を含む表面に撥液性を付与する。
【００７３】
なお、このＣＦ4によるプラズマ処理においては、親液性が付与された画素電極２１の表面や下層隔壁部３２ａの一部についても多少の影響を受けるが、これらを構成する無機材料であるＩＴＯや酸化シリコンなどはフッ素に対する親和性に乏しいため、親液性が保たれる。
【００７４】
次に、正孔注入輸送層形成材料を含む液状体を隔壁部３２により区画された膜形成領域に塗布して乾燥することにより、図７（ｅ）に示すように正孔注入輸送層２２を形成する。該液状体の塗布方法としては、例えば吐出ヘッドのノズルから液状体を液滴として吐出する液滴吐出法や、スピンコート法などが挙げられる。上記膜形成領域に選択的に無駄なく所定量の液状体を塗布できるという点で、上記液滴吐出法を採用することが好ましい。
【００７５】
上記ノズルから吐出された液滴は、親液性を有する画素電極２１の表面において濡れ広がり、上記膜形成領域内に満たされる。その一方で、撥液性を有する上層隔壁部３２ｂの表面に着弾した液滴は、はじかれて上記膜形成領域内に収容される。上記膜形成領域内に充填された液状体を乾燥させて形成した正孔注入輸送層２２の膜厚はおよそ５０ｎｍ〜１００ｎｍである。
なお、正孔注入輸送層２２を形成した後は、正孔注入輸送層２２およびこの後に形成される発光層２３の酸化を防止すべく、窒素やアルゴンなどの不活性ガス雰囲気で成膜を行うのが好ましい。
【００７６】
続いて、発光層形成材料を含む液状体を隔壁部３２により区画された膜形成領域に塗布して乾燥することにより、図７（ｆ）に示すように発光層２３を形成する。該液状体の塗布による正孔注入輸送層２２の再溶解を防止するため、該液状体の溶媒として、正孔注入輸送層２２に対して不溶な無極性溶媒を用いる。
なお、発光層２３は、赤（Ｒ）、緑（Ｇ）、青（Ｂ）の発光が得られる発光層形成材料を含む液状体を塗布して形成する。つまり、赤（Ｒ）の発光層形成材料を含む液状体を所定の膜形成領域内に塗布することによって赤の発光層２３Ｒを形成する。他の発光色の発光層２３Ｇ，２３Ｂについても同様である。上記膜形成領域内に充填された液状体を乾燥させて形成した各発光層２３Ｒ，２３Ｇ，２３Ｂの膜厚はおよそ１００ｎｍ〜３００ｎｍである。
【００７７】
なお、本実施形態では、機能層２５を機能層形成材料を含む液状体を膜形成領域に塗布することによって形成したが、これに限定されない。例えば、正孔注入輸送層２２は液滴吐出法を用いて形成し、発光層２３はマスク蒸着法を用いて形成してもよい。あるいは、異なる発光色が得られる発光層２３Ｒ，２３Ｇ，２３Ｂのうち例えば発光層２３Ｂのみをマスク蒸着して形成してもよい。そして、ステップＳ６へ進む。
【００７８】
ステップＳ６の陰極形成工程では、図７（ｇ）に示すように、少なくとも画素領域１０７の平面的な大きさよりもやや大きな開口５０ａを有するマスク５０を用いて陰極２７をマスク蒸着して形成する。このときマスク蒸着では、陰極形成材料としてＩＴＯを成膜する。陰極２７は、発光層２３と隔壁部３２を覆うように成膜される。マスク蒸着によって成膜された陰極２７の外形位置精度は、フォトリソグラフィ法を用いてパターニングする場合に比べて低いものの、画素領域１０７の外側では、隔壁部３１の壁面３１ａに形成された接続部１０５の一方の端部１０５ａを覆うように陰極２７が形成される。接続部１０５は他方の端部１０５ｂにおいてすでに接続配線１０６と電気的に接続しているので、接続部１０５の一方の端部１０５ａを覆うように陰極２７を形成すれば、結果的に接続配線１０６と陰極２７とを接続部１０５を介して電気的に接続させることができる。画素領域１０７における陰極２７の厚みはおよそ１００ｎｍ〜２００ｎｍである。そして、ステップＳ７へ進む。
【００７９】
ステップＳ７のガスバリア層形成工程では、図７（ｈ）に示すように画素領域１０７内では陰極２７を覆い、画素領域１０７の外側の額縁領域１０９では接続部１０５の他方の端部１０５ｂを覆うようにガスバリア層４０を形成する。ガスバリア層４０の形成方法としては、スパッタリング法やイオンプレーティング法などの物理的気相蒸着法やプラズマＣＶＤ法などの化学的気相蒸着法で成膜を行うのが好ましい。スパッタリング法やイオンプレーティング法などの物理的気相蒸着法は、一般に異質な基板表面に対しても比較的密着性の良い膜が得られるものの、得られる膜に関しては粒塊状で欠陥が発生しやすく、また応力の大きい被膜になり易いなどの欠点がある。一方、化学的気相蒸着法では、応力が少なくステップカバーレッジ性に優れた欠陥が少なく緻密で良好な膜質のものが得られるものの、一般に異質な基板表面に対する密着性や造膜性が得られにくいといった欠点がある。そこで、初期の成膜については物理的気相蒸着法を採用して例えば必要な膜厚の半分あるいはそれ以上を形成し、後期の成膜において化学的気相蒸着法を用いることにより、先に形成した膜の欠陥を補うようにすれば、全体としてガスバリア性（酸素や水分に対するバリア性）に優れたガスバリア層４０を比較的短時間で形成することができる。
【００８０】
ガスバリア層４０の形成については、前述したように同一の材料によって単層で形成してもよく、また異なる材料で複数の層に積層して形成してもよく、さらには、単層で形成するものの、その組成を膜厚方向で連続的あるいは非連続的に変化させるようにして形成してもよい。
異なる材料で複数の層に積層して形成する場合、例えば、前述したように物理的気相蒸着法で形成する内側の層（陰極２７側の層）を珪素窒化物あるいは珪素酸窒化物などとし、化学的気相蒸着法で形成する外側の層を珪素酸窒化物あるいは珪素酸化物などとするのが好ましい。
【００８１】
また、物理的気相蒸着法で内側の層を形成する際、成膜装置内に供給する酸素量を最初は少なくし、以下、連続的あるいは非連続的に増やすことにより、形成するガスバリア層４０中の酸素濃度を陰極２７側（内側）で低くし、外側ではこれより高くなるように形成してもよい。
なお、ガスバリア層４０の形成については単一の成膜法で行ってもよいのはもちろんであり、その場合にも、前述したように酸素濃度を陰極２７側（内側）で低くなるように形成するのが好ましい。この場合のガスバリア層４０の総厚はおよそ４００ｎｍである。
【００８２】
このような電気光学装置１００の製造方法によれば、フォトリソグラフィ法によるパターニングに比べて形成位置精度が劣るマスク蒸着法を用いて陰極２７を形成しても、額縁領域１０９では、接続部１０５の一方の端部１０５ａと重なるように陰極２７が形成されるので、結果的に回路部１７に設けられた接続配線１０６と陰極２７とを接続部１０５を介して安定的に接続することができる。
【００８３】
また、回路部１７に形成された接続配線１０６と陰極２７とが直接に接続するように陰極２７をマスク蒸着する場合には、マスク蒸着による陰極２７の形成位置精度におけるばらつきを考慮して、接続配線１０６との接触面積を予め大きくしておく必要がある。言い換えれば、接続配線１０６が形成される額縁領域１０９を上記接触面積を考慮して確保しておく必要がある。これに対して、本実施形態は、接続配線１０６と陰極２７とを接続させる接続部１０５をフォトリソグラフィ法で位置精度よく形成し、画素領域１０７側の一方の端部１０５ａに重なるように陰極２７をマスク蒸着するので、実質的な額縁領域１０９の幅を狭くすることができる。
さらには、接続部１０５の一方の端部１０５ａは画素領域１０７の外周部に設けられた隔壁部３１の壁面３１ａに沿って形成されるので、額縁領域１０９を狭くしても陰極２７との接触面積を立体的に確保して安定的な接続を図ることができる。
【００８４】
なお、本実施形態では、電気光学装置１００をトップエミッション構造を採用したものとして説明したが、これに限定されることなく、機能層２５における発光を素子基板１０側から取り出すボトムエミッション構造を採用したものにも適用可能である。ボトムエミッション構造とした場合、陰極２７は透明電極を用いる必要はないが、素子基板１０自体が透光性を有する必要がある。
また、発光を素子基板１０側から効率的に取り出すため、素子基板１０に形成するスイッチング用のＴＦＴ１２１や駆動用のＴＦＴ１２２およびこれらに接続される配線類は、発光素子３０の直下ではなく、隔壁部３２の直下に形成するようにして、開口率を高めるのが好ましい。
【００８５】
電気光学装置１００は、発光素子３０をガスバリア層４０で覆った状態でこのまま用いてもよいが、とりわけトップエミッション構造では、発光が得られるガスバリア層４０側に例えば人体などが繰り返し接触することで発光素子３０が損傷するおそれがある。そこで、図８に示すように、少なくともガスバリア層４０を覆う透明な緩衝層１３１を介して同じく透明な保護層１３２を設けることが好ましい。
【００８６】
緩衝層１３１としては、ガスバリア層４０に密着し、かつ外部からの機械的衝撃に対して緩衝機能を有するもので、例えばウレタン系、アクリル系、エポキシ系、ポリオレフィン系などの樹脂で、後述する保護層１３２より柔軟でガラス転移点の低い材料からなる接着剤によって形成されたものである。なお、このような接着剤には、シランカップリング剤またはアルコキシシランを添加しておくのが好ましく、このようにすれば、形成される緩衝層１３１とガスバリア層４０との密着性がより良好になり、機械的衝撃に対する緩衝機能が高くなる。また、ガスバリア層４０が珪素化合物で形成されている場合などでは、シランカップリング剤やアルコキシシランによってこのガスバリア層４０との密着性を向上させることができ、ガスバリア性を高めることができる。
【００８７】
保護層１３２は、緩衝層１３１上に設けられることにより、耐圧性や耐摩耗性、外部光反射防止性、ガスバリア性、紫外線遮断性などの機能の少なくとも一つを有してなる層である。具体的には、高分子層（プラスチックフィルム）やＤＬＣ（ダイアモンドライクカーボン）層、ガラスなどによって形成されるものである。
なお、トップエミッション構造の電気光学装置１００では、保護層１３２、緩衝層１３１を共に透光性のものにする必要があるが、ボトムエミッション構造とする場合にはその必要はない。
【００８８】
このようにガスバリア層４０上に保護層１３２を設ければ、保護層１３２が耐圧性や耐摩耗性、光反射防止性、ガスバリア性、紫外線遮断性などの機能を有していることにより、機能層２５や陰極２７、さらにはガスバリア層４０もこの保護層１３２によって保護することができ、発光素子３０の長寿命化を図ることができる。
また、緩衝層１３１が機械的衝撃に対して緩衝機能を発揮するので、外部から機械的衝撃が加わった場合に、ガスバリア層４０やこの内側の発光素子３０への機械的衝撃を緩和し、機械的衝撃による発光素子３０の機能劣化を防止することができる。
【００８９】
（第２実施形態）
＜電子機器＞
次に、本実施形態の電子機器について図９（ａ）〜（ｃ）を参照して説明する。
図９（ａ）は、電子機器としての携帯型電話機を示す斜視図である。図９（ａ）に示すように、電子機器の一例としての携帯型電話機１０００は、折畳み式の本体の一方に表示部１００１が設けられている。表示部１００１には、上記実施形態の電気光学装置１００が搭載されている。
図９（ｂ）は、電子機器としての腕時計型情報端末を示す斜視図である。図９（ｂ）に示すように、電子機器の一例としての腕時計型情報端末１１００は、ベルトが装着された本体に表示部１１０１が設けられている。表示部１１０１には、上記実施形態の電気光学装置１００が搭載されている。
図９（ｃ）は、電子機器としての携帯型情報処理装置を示す斜視図である。図９（ｃ）に示すように、電子機器の一例としての携帯型情報処理装置１２００は、キーボー１２０２を有する本体１２０４と、本体１２０４に重ねて折り畳むことが可能な表示部１２０６とを有している。表示部１２０６には、上記実施形態の電気光学装置１００が搭載されている。
図９（ａ）〜（ｃ）に示すそれぞれの電子機器は、表示部に額縁領域１０９を狭くすることが可能な電気光学装置１００を搭載しているので、それぞれの電子機器全体をよりコンパクトにすることが可能である。すなわち、すぐれた携帯性を有する電子機器を提供することができる。
【００９０】
上記実施形態以外にも様々な変形例が考えられる。以下、変形例を挙げて説明する。
【００９１】
（変形例１）上記第１実施形態の電気光学装置１００において、接続部１０５の平面的な配置は、これに限定されない。例えば、図１に示したように第１実施形態では、Ｘ方向において画素領域１０７を挟んで一対の接続部１０５を設けたが、少なくとも一方の接続配線１０６に平面的に重なるように接続部１０５を設けてもよい。これによれば、電気光学装置１００の平面的な中心線と画素領域１０７の中心線とがＸ方向においてずれるものの、画素領域１０７の外側の額縁領域を小さくすることができる。
図１０は変形例１の電気光学装置を示す概略平面図である。また例えば、図１０に示すように、変形例１の電気光学装置２００は、上記実施形態の電気光学装置１００に対して、画素領域１０７の外側において設けられた検査回路１０３に対して平面的に重なり合うと共に、一対の接続部１０５に架橋するように設けられた接続部２０５を有する。これによれば、接続部２０５に重なるように陰極２７を形成すれば、画素領域１０７を覆う陰極２７の電気的な抵抗をより低減することができ、陰極２７の電気抵抗により発光素子３０における発光むらを低減できる。
【００９２】
（変形例２）上記第１実施形態の電気光学装置１００における画素領域１０７の構成は、これに限定されない。図１１は変形例２の電気光学装置を示す概略断面図である。例えば、図１１に示すように、変形例２の電気光学装置３００は、画素領域１０７の周縁部において、実際の表示には寄与しないダミー画素を有している。ダミー画素は、サブ画素ＳＧと同様に画素電極２１および陰極２７と、これらの電極間に設けられた機能層２５とを有しているが、画素電極２１は駆動用のＴＦＴ１２２と電気的に接続していない。接続部１０５は、一方の端部１０５ａがダミー画素の外側に位置する隔壁部３１に掛かるように設けられている。このようなダミー画素を設けることにより、液滴吐出法やマスク蒸着法を用いて機能層２５を形成する場合の上記周縁部における成膜ばらつきが実際の表示に用いるサブ画素ＳＧに影響を及ぼすことを低減して、輝度むらが少ない表示品質を実現することができる。
【００９３】
（変形例３）上記第１実施形態における保護層１３２を備えた電気光学装置１００の構成は、これに限定されない。例えば、額縁領域１０９内に保護層１３２と素子基板１０とを接合するシール部材を配置して、緩衝層１３１を封止しつつ保護層１３２を支持する構成としてもよい。これによれば、電気光学装置１００の外周部からの酸素や水分などの侵入をより低減可能な構造とすることができる。
【００９４】
（変形例４）上記第１実施形態の電気光学装置１００の構成は、これに限定されない。例えば、発光素子３０から得られる発光は、赤（Ｒ）、緑（Ｇ）、青（Ｂ）の三色に限定されず、白色などの単色としてもよい。これによれば、単色の発光による情報表示だけでなく、照明装置としても活用できる。また、発光素子３０を白色発光が得られる構成とし、保護層１３２を透明なガラスなどを用い、発光素子３０の平面的な配置に対応させて赤（Ｒ）、緑（Ｇ）、青（Ｂ）のカラーフィルターを保護層１３２と発光素子３０との間に設けた構成として、フルカラー表示を可能としてもよい。
【００９５】
（変形例５）上記第１実施形態の電気光学装置１００を搭載可能な電子機器は、上記第２実施形態の携帯型電話機１０００、腕時計型情報端末１１００、携帯型情報処理装置１２００に限定されない。例えば、デジタルスチルカメラ、デジタルビデオカメラ、ＤＶＤビューワー、カーナビゲーション装置などの車載用ディスプレイ、電子手帳、ＰＯＳ端末、デジタルサイネージと呼ばれる電子広告媒体などが挙げられる。
【符号の説明】
【００９６】
１０…基板としての素子基板、２１…一対の電極のうちの画素電極、２３…発光層、２５…機能層、２７…一対の電極のうちの一方の電極としての陰極、３０…発光素子、３１…隔壁部、３１ａ…隔壁部の壁面、４０…ガスバリア層、１００，２００…電気光学装置、１０１…周辺回路としての走査線駆動回路、１０３…周辺回路としての検査回路、１０５…接続部、１０５ａ…接続部の一方の端部、１０５ｂ…接続部の他方の端部、１０６…接続配線、１０７…画素領域、１０００…電子機器としての携帯型電話機、１１００…電子機器としての腕時計型情報端末、１２００…電子機器としての携帯型情報処理装置。
【図１】
0005471774.tif 000002
【図２】
0005471774.tif 000003
【図３】
0005471774.tif 000004
【図４】
0005471774.tif 000005
【図５】
0005471774.tif 000006
【図６】
0005471774.tif 000007
【図７】
0005471774.tif 000008
【図８】
0005471774.tif 000009
【図９】
0005471774.tif 000010
【図１０】
0005471774.tif 000011
【図１１】
0005471774.tif 000012